(57)【要約】【課題】衿を迅速に交換することのできる襦袢の衿構造の提供。【解決手段】身頃１に衿４を着脱可能に設ける襦袢の衿構造において、身頃はその衿側の縁部にファスナー３の雌雄の一方を取り付けるもので、衿は、幅中央部で二つ折りし且つ幅縁部をそれぞれ内側に折り返した半衿７と、半衿に表裏両面を覆われる芯衿５と、芯衿と半衿の間に介在して半衿の幅縁部を挟む挟持片６とからなり、芯衿は前記ファスナーの雌雄の他方をその身頃側の縁部に沿って取り付けるもので、挟持片は幅中央部で二つ折りした形状であってその折り部１５がファスナーの反対側に位置する状態で芯衿の表裏面を覆い、そのファスナー側の縁部と芯衿との間を開閉可能に設けたもので、開いた状態の挟持片と芯衿との間に、半衿の折り返した幅縁部を挿入し、閉じた状態の挟持片と芯衿との間に半衿の幅縁部を挟むことを特徴とする。【選択図】　　　図１
2004124295.tif 000002
【特許請求の範囲】
【請求項１】
身頃（１）に衿（４）を着脱可能に設ける襦袢の衿構造において、
身頃（１）はその衿側の縁部にファスナー（３）の雌雄の一方を取り付けるもので、
衿（４）は、幅中央部で二つ折りし且つ幅縁部をそれぞれ内側に折り返した半衿（７）と、半衿に表裏両面を覆われる芯衿（５）と、芯衿（５）と半衿（７）の間に介在して半衿の幅縁部を挟む挟持片（６）とからなり、
芯衿（５）は前記ファスナー（３）の雌雄の他方をその身頃側の縁部に沿って取り付けるもので、
挟持片（６）は幅中央部で二つ折りした形状であってその折り部（１５）がファスナーの反対側に位置する状態で芯衿（５）の表裏面を覆い、そのファスナー側の縁部と芯衿（５）との間を開閉可能に設けたもので、
開いた状態の挟持片（６）と芯衿（５）との間に、半衿（７）の折り返した幅縁部を挿入し、閉じた状態の挟持片（６）と芯衿（５）との間に半衿（７）の幅縁部を挟むことを特徴とする襦袢の衿構造。
【請求項２】
請求項１記載の襦袢の衿構造において、
挟持片（６）は幅中央部で二つ折りした形状であってその折り部（１５）がファスナーの反対側に位置する状態で芯衿（５）の表裏面を覆い、そのファスナー側の縁部と芯衿（５）との間を開閉可能に設けたものである代わりに、
挟持片（６）は二枚で一組であって、少なくとも芯衿の表裏面の幅中央部からファスナー側の縁部までを覆う形状であって芯衿のファスナーとは反対側に取り付け、そのファスナー側の縁部と芯衿（５）との間を開閉可能に設けたものであることを特徴とする襦袢の衿構造。
【請求項３】
挟持片（６）のファスナー側の縁部の裏面に滑り止めシート（１４）を取り付けることを特徴とする請求項１又は２記載の襦袢の衿構造。
【請求項４】
ファスナー（３）が横方向に移動させて止め外し可能なスナップ式であることを特徴とする請求項１、２又は３記載の襦袢の衿構造。
【発明の詳細な説明】
【０００１】
【発明の属する技術分野】
本発明は、身頃に衿を着脱可能に設けた襦袢の衿構造に関する。
【０００２】
【従来の技術】
襦袢の衿構造は土台衿の上に半衿と呼ばれる生地を縫着したものが一般的であり、半衿が汚れた場合は糸を解いて取り外し、新しい半衿を縫着し直して交換する。ところが、縫着技術を持った人は減少しているため、縫着せずに交換できる構造が望まれている。
【０００３】
また、身頃に衿を着脱可能に設けた襦袢の衿構造としては、特開平９−３１７０２号公報に、身頃と一体化した衿本体に内衿カバーを着脱可能に取り付けたものが示されている。
【０００４】
これは、衿本体と内衿カバーに接合部材を相互に設けてある構造であるが、身頃と衿本体が一体化しているので、内衿カバーを衿本体に取り付ける作業時に、衿本体よりも遙かに寸法の大きな身頃が邪魔になり、取り付け作業が手間取るものである。
【０００５】
【発明が解決しようとする課題】
本発明は上記実情を考慮して開発されたもので、その目的は、衿を迅速に交換することのできる襦袢の衿構造を提供することである。
【０００６】
【課題を解決するための手段】
請求項１の発明は、身頃に衿を着脱可能に設ける襦袢の衿構造において、身頃はその衿側の縁部にファスナーの雌雄の一方を取り付けるもので、衿は、幅中央部で二つ折りし且つ幅縁部をそれぞれ内側に折り返した半衿と、半衿に表裏両面を覆われる芯衿と、芯衿と半衿の間に介在して半衿の幅縁部を挟む挟持片とからなり、芯衿は前記ファスナーの雌雄の他方をその身頃側の縁部に沿って取り付けるもので、挟持片は幅中央部で二つ折りした形状であってその折り部がファスナーの反対側に位置する状態で芯衿の表裏面を覆い、そのファスナー側の縁部と芯衿との間を開閉可能に設けたもので、開いた状態の挟持片と芯衿との間に、半衿の折り返した幅縁部を挿入し、閉じた状態の挟持片と芯衿との間に半衿の幅縁部を挟むことを特徴とする。
【０００７】
挟持片は芯衿を単に覆うだけで芯衿と一体化してなくても良いし、そのファスナーの反対側を芯衿に縫着等して取り付けて一体化しても良い。一体化してない場合は、半衿が挟持片ごと芯衿から外れるおそれがあるが、一体化した場合は、そのおそれが解消する。なお、衿は、半衿が表裏面全域に露出し、芯衿や挟持片が隠れるので、体裁が良い。
【０００８】
また、挟持片は幅中央部で二つ折りした形状であってその折り部がファスナーの反対側に位置する状態で芯衿の表裏面を覆い、そのファスナー側の縁部と芯衿との間を開閉可能に設けたものである代わりに、請求項２の発明のように、挟持片は二枚で一組であって、少なくとも芯衿の表裏面の幅中央部からファスナー側の縁部までを覆う形状であって芯衿のファスナーとは反対側に取り付け、そのファスナー側の縁部と芯衿との間を開閉可能に設けたものであっても良い。
【０００９】
さらに、半衿の幅縁部が挟持片のファスナー側の縁部と芯衿との間に挟んだ状態を安定させるには、請求項３の発明のように、挟持片のファスナー側の縁部の裏面に滑り止めシートを取り付けることが望ましい。
【００１０】
また、ファスナーは、限定されず、例えば、スライド式（スライドファスナー）や、面式（面ファスナー）であっても良いが、衿の取り付けの容易さを考慮すれば、請求項４の発明のように、ファスナーが横方向に移動させて止め外し可能なスナップ式であることが望ましい。
【００１１】
【発明の実施の形態】
本発明の襦袢の衿構造は、図１から図４に示すように、襦袢の身頃１には衿側の縁部から立衿２の縁部に沿って、ファスナー３の雌雄の一方を縫着によって取り付け、衿４の身頃側の縁部に沿ってファスナー３の雌雄の他方を縫着によって取り付けてある。なお、身頃１に取り付けるファスナー３は、肌に直に触れないように身頃１の表面側に取り付けてある。
【００１２】
衿４は、芯衿５と、挟持片６と、半衿７とからなる。芯衿５は、幅狭の長尺形状であって、その長手方向に沿って衿部分と、立て衿部分に分けられ（図３参照）、その身頃側の縁部に沿ってファスナー３を取り付けたものである。材質の例としてはポリエステルが挙げられ、衿４の土台となるのに適当な強度及び柔軟性を備えるものである。
【００１３】
雌雄のファスナー３，３は図６に示すように、横方向に移動させて止め外しする合成樹脂製のスナップファスナーである。各ファスナー３は芯衿５又は身頃１に沿って縫着するテープ８と、テープ８に間隔をあけて固定したスナップ９とからなる。スナップ９の雄は、テープ８の身頃側の縁部を挟む固定部１０と、固定部１０から突出する雄部１１とからなり、雄部１１の先部を膨大形状としてある。また、スナップ９の雌は、テープ８の衿側の縁部を挟む固定部１２と、固定部１２から突出する雌部１３とからなり、雌部１３を雄部１１を収納する穴形状とし、弾性によって雄部１１を雌部１３に出し入れ可能に収容する。なお、ファスナー３には、ＹＫＫニューマックス株式会社より販売している商品名Ｚナップを用いている。
【００１４】
挟持片６は、二つ折りした形状であって、ファスナー側の縁部の裏面側に滑り止めシート１４を取り付け、芯衿５の衿部分と立て衿部分の一部を覆う長さとし（図２、図４参照）、折り部１５をファスナーとは反対側に位置して芯衿５をファスナー４の一方ごと挟み込むものである。挟持片７は、二つ折りした一面側の幅中央部を芯衿５に縫着して固定してある（図１の符号Ｈが縫着箇所である）。また、挟持片６は、縫着箇所が幅方向の中央部分からファスナー４の反対側の範囲間に位置するので、ファスナー側の縁部が芯衿５に単に重ね合わさっている。従って、挟持片６のファスナー側の縁部を捲ることができ、挟持片６のファスナー側の縁部と芯衿５の間が開閉可能となる。なお、挟持片６に用いる材質としては、ポリエステルが一例として挙げられ、芯衿５よりも柔軟なものを用いている。滑り止めシート１４に用いる材質としては、発泡ウレタンが一例として挙げられる。
【００１５】
半衿７は、幅中央部で二つ折りし且つ幅縁部をそれぞれ内側に折り返したもので、材質の一例としては絹が挙げられる。なお、折り目を付けるにはアイロンを使用する。
【００１６】
衿４を作成する手順を図５に基づいて説明する。なお、図面では芯衿５や挟持片６等の形状を明確に表すために、上下の間隔を大きくあけてあるが、実際には殆ど隙間のない状態で重なり合っている。まず、（イ）図に示すように芯衿５を用意し、（ロ）図に示すように芯衿５の身頃側の縁部に沿ってファスナー３のテープ８を一部重ね合わせて縫着し、スナップ９を身頃側に突出した形態とする。次に、（ハ）図に示すように二つ折りした挟持片６の間に、ファスナー３を付けた芯衿５を差し込み、芯衿５の一部とファスナー３を上下の滑り止めシート１４，１４間に挟まれる状態として、挟持片６の一面を芯衿５の幅中央部に縫着する。続いて、（ニ）図に示すように挟持片６のファスナー側の縁部を捲って、挟持片６の縁部と芯衿５の間を開き、（ホ）図に示すように半衿７の折り返した幅縁部を滑り止めシート１４と芯衿５の間に挿入し、（ヘ）図に示すように捲った挟持片６の縁部を閉じると、半衿７の折り返した幅縁部が滑り止めシート１４と芯衿５との間に挟まれて仮止めされ、半衿７が表面に露出した形態となる。なお、半衿７を取り付ける作業時には、滑り止めシート１４と芯衿５との間に半衿７の縁部が挟まれた部分の上下を外側から所定の間隔をあけながらクリップで挟んで止めると、半衿７が取り付け作業中に外れるおそれがなくなる。そして、半衿７が全長に亘って滑り止めシート１４と芯衿５との間に挟まれた後に、クリップを取り外すと、半衿７の取り付け作業が容易となる。
【００１７】
上述した手順で作成した衿４を身頃１に取り付ける作業は、図５（ト）に示すように、身頃１に取り付けたファスナー３の雌雄の一方に、衿４のファスナー３の雌雄の他方を横方向に移動させて嵌めることによって行われ、衿４が身頃１と一体化し、半衿７の折り返した縁部間に、ファスナー３，３全体が挟まれて、少なくとも衿部分については外側からはファスナー３，３がみえなくなるので、体裁がよい（図２と図４参照）。
【００１８】
また、衿４の他の例としては図７に示すように、挟持片６を二枚で一組の帯状とし、両挟持片６，６で芯衿５の表裏面の幅中央部からファスナー３までを覆い、挟持片６のファスナーとは反対側の縁部を、芯衿５の幅中央部に取り付けて、芯衿５と挟持片６のファスナー側の縁部との間を開閉可能に設けた構造であっても良い。
【００１９】
本発明は上記した例に限定されるものではない。たとえば、挟持片６及び半衿７は、図２及び図４では、芯衿５の衿部分と立て衿部分の一部のみに取り付け、立て衿部分の残り部分には何も付けてないが、残り部分にカバーを取り付けても良い。また、挟持片６及び半衿７は、上側から着物を着た場合に、外から見える範囲に取り付けてあれば充分であるが、芯衿５の全長に亘って取り付けても良い。さらに、衿４の長さは衿部分と立て衿部分まで連続した形態に限らず、単に衿部分のみに相当する長さであっても良い。
【００２０】
【発明の効果】
請求項１と２の発明は、衿を身頃から取り外した状態で半衿の着脱作業ができ、しかも、半衿は折り返した幅縁部を挟持片と芯衿の間を広げて挿入するだけなので、半衿の着脱作業が迅速に行える。また、身頃からの衿の着脱作業もファスナーの止め外し作業だけなので、衿自体の着脱も容易に行える。
【００２１】
請求項３の発明は、挟持片のファスナー側の縁部の裏面に滑り止めシートを取り付けてあるので、半衿の幅縁部が挟持片と芯衿の間に確実に保持されることになり、半衿の取り付け状態が安定する。
【００２２】
請求項４の発明は、ファスナーが横方向に移動させて止め外し可能なスナップ式なので、衿の着脱作業が迅速に行える。
【図面の簡単な説明】
【図１】本発明の襦袢の衿構造を示す拡大斜視図である。
【図２】衿を身頃に取り付けている状態を示す正面図である。
【図３】身頃のみを示す正面図である。
【図４】衿を身頃に取り付けた状態を示す正面図である。
【図５】衿の作成手順、及び衿と身頃の取り付けを示す断面図である。
【図６】（イ）（ロ）（ハ）（い）（ろ）（は）
（イ）（ロ）（ハ）はファスナーを止めた状態、（い）（ろ）（は）はファスナーを外した状態を示す正面図、底面図、Ａ−Ａ線断面図である。
【図７】衿の別の例を示す断面図である。
【符号の説明】
１　身頃
３　ファスナー
４　衿
５　芯衿
６　挟持片
７　半衿
１４　滑り止めシート
１５　折り部
【図１】
2004124295.tif 000003
【図２】
2004124295.tif 000004
【図３】
2004124295.tif 000005
【図４】
2004124295.tif 000006
【図５】
2004124295.tif 000007
【図６】
2004124295.tif 000008
【図７】
2004124295.tif 000009